(57)【要約】【課題】  スノーダンプに着脱自在に取り付けて、多量の雪を掬い上げ排雪出来ると共に、着脱及び収納も容易なスノーダンプ用嵩上げ器具を提供する。【解決手段】  底面板２の後辺に背面板３が立設し、該底面板２の左右辺に左右側面板４，５が夫々立設して成るスノーダンプ本体６に、該スノーダンプ本体６を前方に押すための把手体７が固着されて成るスノーダンプ１であって、該スノーダンプ１の背面板３上に立設して該背面板３の嵩上げをするための背面嵩上げ板２２と、該背面嵩上げ板２２に連結され、且つ、該スノーダンプ１の左右側面板４，５上に立設して該左右側面板４，５の嵩上げをするための左右側面嵩上げ板２３，２４とから成り、前記スノーダンプ本体６に着脱自在に取り付けられるように構成されているスノーダンプ用嵩上げ器具２１を提供する。【選択図】  図１
2005290800.tif 000002
【特許請求の範囲】
【請求項１】
底面板の後辺に背面板が立設し、該底面板の左右辺に左右側面板が夫々立設して成るスノーダンプ本体に、該スノーダンプ本体を前方に押すための把手体が固着されて成るスノーダンプであって、該スノーダンプの背面板上に立設して該背面板の嵩上げをするための背面嵩上げ板と、該背面嵩上げ板に連結され、且つ、該スノーダンプの左右側面板上に立設して該左右側面板の嵩上げをするための左右側面嵩上げ板とから成り、前記スノーダンプ本体に着脱自在に取り付けられるように構成されていることを特徴とするスノーダンプ用嵩上げ器具。
【請求項２】
上記背面嵩上げ板と上記左右側面嵩上げ板とは蝶番によって折り畳み自在に連結されていることを特徴とする請求項１記載のスノーダンプ用嵩上げ器具。
【請求項３】
上記背面嵩上げ板と上記左右側面嵩上げ板とは硬質性樹脂によって一体に形成され、該背面嵩上げ板と該左右側面嵩上げ板の隣接部は薄肉状に形成され折り畳み自在に構成されていることを特徴とする請求項１記載のスノーダンプ用嵩上げ器具。
【請求項４】
上記把手体は、上記スノーダンプ本体の左右側面板の上端部に形成される止着縁部及び上記背面板の上端部に形成される止着縁部に固着される取り付けパイプと、該左右側面板の後端から上方後方に延設される左右延設部と、該左右延設部の先端を相互に連結する把手部とから成り、該取り付けパイプ及び該止着縁部に上記背面嵩上げ板を取り付けるための背面下部連結具が着脱自在に固着されると共に、上記左右側面嵩上げ板を取り付けるため側面下部連結具が着脱自在に固着され、一方、該背面嵩上げ板に該背面下部連結具と連結するための背面上部連結具が固着されると共に、該左右側面嵩上げ板に該側面下部連結具と連結するための側面上部連結具が固着されていることを特徴とする請求項１，２又は３記載のスノーダンプ用嵩上げ器具。
【請求項５】
上記背面下部連結具は上方に突出する凸部を備え、上記背面上部連結具は該凸部を嵌合させる嵌合孔を形成するように構成されていることを特徴とする請求項４記載のスノーダンプ用嵩上げ器具。
【請求項６】
上記側面下部連結具は上方に突出する突出体を備え、且つ、該突出体の上部には上方に開放する穴が形成されており、一方、上記側面上部連結具は連結ピンを保持するための保持部を備え、該突出体上に該保持部を位置あわせし、連結ピンを該保持部と該突出体の穴内に挿通させて該側面下部連結具と該側面上部連結具を連結するように構成されていることを特徴とする請求項４記載のスノーダンプ用嵩上げ器具。
【請求項７】
上記背面嵩上げ板は、中央下部が切欠され、作業者が作業中に上記背面板の上端に足を掛けられるように構成されていることを特徴とする請求項１，２，３，４，５又は６記載のスノーダンプ用嵩上げ器具。
【発明の詳細な説明】
【技術分野】
【０００１】
本発明は、スノーダンプ用嵩上げ器具に関し、特に、底面板の後辺に背面板が立設し、底面板の左右辺に左右側面板が夫々立設して成るスノーダンプ本体に、該スノーダンプ本体を前方に押すための把手体が固着されて成るスノーダンプであって、該スノーダンプが多量の雪を掬い上げることができるようにするスノーダンプ用嵩上げ器具に関するものである。
【背景技術】
【０００２】
従来、此種スノーダンプは、除雪又は排雪用として広く用いられており、良く知られたスノーダンプは、底面板の後辺に背面板が立設し、底面板の左右辺に左右側面板が夫々立設して成るスノーダンプ本体に、該スノーダンプ本体を前方に押すための把手体が固着されて成り、該左右側面板は前端から後端に向かって上部が斜欠されており、且つ、該把手体は該スノーダンプ本体の後方上方に延設されて所定高さ位置に把手部が形成されている（例えば、特許文献１及び２参照）。
【特許文献１】特開２００３−２２７１１３号公報
【特許文献２】特開２００３−２８６７１０号公報
【発明の開示】
【発明が解決しようとする課題】
【０００３】
前述した従来のスノーダンプは所定量の雪を掬い上げて排雪できるように背面板及び左右側面板が所定の高さに形成されているが、一度に掬える雪の量には限度がある。そのため、多量の雪を排雪する場合に於いては、掬い上げる作業と移動する作業を何回も繰り返して行わなければならず、作業効率が悪いという問題がある。
【０００４】
そこで、更に多量の雪を排雪できるようにして、作業効率を高め、除雪又は排雪が短時間で終えるようにすることが望まれており、更に、少ない雪の排雪も容易に行えることが望まれている。
【０００５】
以上の現状に鑑み、本発明の目的は、スノーダンプに着脱自在に取り付けて、多量の雪を掬い上げ排雪出来ると共に、着脱及び収納も容易なスノーダンプ用嵩上げ器具を提供する。
【課題を解決するための手段】
【０００６】
上記の課題を解決すべく、本発明は以下の構成を提供する。
請求項１に係る発明は、底面板の後辺に背面板が立設し、該底面板の左右辺に左右側面板が夫々立設して成るスノーダンプ本体に、該スノーダンプ本体を前方に押すための把手体が固着されて成るスノーダンプであって、該スノーダンプの背面板上に立設して該背面板の嵩上げをするための背面嵩上げ板と、該背面嵩上げ板に連結され、且つ、該スノーダンプの左右側面板上に立設して該左右側面板の嵩上げをするための左右側面嵩上げ板とから成り、前記スノーダンプ本体に着脱自在に取り付けられるように構成されていることを特徴とするスノーダンプ用嵩上げ器具を提供するものである。
【０００７】
請求項２に係る発明は、上記背面嵩上げ板と上記左右側面嵩上げ板とは蝶番によって折り畳み自在に連結されていることを特徴とする請求項１記載のスノーダンプ用嵩上げ器具を提供するものである。
【０００８】
請求項３に係る発明は、上記背面嵩上げ板と上記左右側面嵩上げ板とは硬質性樹脂によって一体に形成され、該背面嵩上げ板と該左右側面嵩上げ板の隣接部は薄肉状に形成され折り畳み自在に構成されていることを特徴とする請求項１記載のスノーダンプ用嵩上げ器具を提供するものである。
【０００９】
請求項４に係る発明は、上記把手体は、上記スノーダンプ本体の左右側面板の上端部に形成される止着縁部と、上記背面板の上端部に形成される止着縁部とに固着される取り付けパイプと、該左右側面板の後端から上方後方に延設される左右延設部と、該左右延設部の先端を相互に連結する把手部とから成り、該取り付けパイプ及び該止着縁部に上記背面嵩上げ板を取り付けるための背面下部連結具が着脱自在に固着されると共に、上記左右側面嵩上げ板を取り付けるため側面下部連結具が着脱自在に固着され、一方、該背面嵩上げ板に該背面下部連結具と連結するための背面上部連結具が固着されると共に、該左右側面嵩上げ板に該側面下部連結具と連結するための側面上部連結具が固着されていることを特徴とする請求項１，２又は３記載のスノーダンプ用嵩上げ器具を提供するものである。
【００１０】
請求項５に係る発明は、上記背面下部連結具は上方に突出する凸部を備え、上記背面上部連結具は該凸部を嵌合させる嵌合孔を形成するように構成されていることを特徴とする請求項４記載のスノーダンプ用嵩上げ器具を提供するものである。
【００１１】
請求項６に係る発明は、上記側面下部連結具は上方に突出する突出体を備え、且つ、該突出体の上部には上方に開放する穴が形成されており、一方、上記側面上部連結具は連結ピンを保持するための保持部を備え、該突出体上に該保持部を位置あわせし、連結ピンを該保持部と該突出体の穴内に挿通させて該側面下部連結具と該側面上部連結具を連結するように構成されていることを特徴とする請求項４記載のスノーダンプ用嵩上げ器具を提供するものである。
【００１２】
請求項７に係る発明は、上記背面嵩上げ板は、中央下部が切欠され、作業者が作業中に上記背面板の上端に足を掛けられるように構成されていることを特徴とする請求項１，２，３，４，５又は６記載のスノーダンプ用嵩上げ器具を提供するものである。
【発明の効果】
【００１３】
本発明の請求項１記載の発明によれば、スノーダンプの背面板上に立設して該背面板の嵩上げをするための背面嵩上げ板と、該背面嵩上げ板に連結され、且つ、該スノーダンプの左右側面板上に立設して該左右側面板の嵩上げをするための左右側面嵩上げ板とから成り、スノーダンプ本体に着脱自在に取り付けられるように構成されているスノーダンプ用嵩上げ器具を提供するので、該スノーダンプ用嵩上げ器具をスノーダンプに着脱自在に取り付けて多量の雪を掬い上げて排雪出来ると共に、着脱も容易なスノーダンプ用嵩上げ器具を得ることができる。
【００１４】
請求項２記載の発明によれば、上記背面嵩上げ板と上記左右側面嵩上げ板とは蝶番によって折り畳み自在に連結されているので請求項１記載の発明の効果に加え、スノーダンプ用嵩上げ器具の収納が容易になる。
【００１５】
請求項３記載の発明によれば、上記背面嵩上げ板と上記左右側面嵩上げ板とは硬質性樹脂によって一体に形成され、該背面嵩上げ板と該左右側面嵩上げ板の隣接部は薄肉状に形成され折り畳み自在に構成されているので請求項１記載の発明の効果に加え、前記背面嵩上げ板と左右側面嵩上げ板とを一体に成型できるためスノーダンプ用嵩上げ器具の製作が容易になる。
【００１６】
請求項４記載の発明によれば、上記把手体は、上記スノーダンプ本体の左右側面板の上端部に形成される止着縁部と、上記背面板の上端部に形成される止着縁部とに固着される取り付けパイプと、該左右側面板の後端から上方後方に延設される左右延設部と、該左右延設部の先端を相互に連結する把手部とから成り、該取り付けパイプ及び該止着縁部に上記背面嵩上げ板を取り付けるための背面下部連結具が着脱自在に固着されると共に、上記左右側面嵩上げ板を取り付けるため側面下部連結具が着脱自在に固着され、一方、該背面嵩上げ板に該背面下部連結具と連結するための背面上部連結具が固着されると共に、該左右側面嵩上げ板に該側面下部連結具と連結するための側面上部連結具が固着されているので、請求項１，２又は３記載の発明の効果に加え、前記背面下部連結具に前記背面上部連結具を連結し、前記側面下部連結具に前記側面上部連結具を連結して、前記スノーダンプ用嵩上げ器具を前記スノーダンプ本体に取り付けることが可能となる。
【００１７】
請求項５記載の発明によれば、上記背面下部連結具は上方に突出する凸部を備え、上記背面上部連結具は該凸部を嵌合させる嵌合孔を形成するように構成されているので、請求項４記載の発明の効果に加え、該凸部を該嵌合孔に嵌入させることにより、背面下部連結具と背面上部連結具との連結が容易になると共に、取り外しも容易となる。
【００１８】
請求項６記載の発明によれば、上記側面下部連結具は上方に突出する突出体を備え、且つ、該突出体の上部には上方に開放する穴が形成されており、一方、上記側面上部連結具は連結ピンを保持するための保持部を備え、該突出体上に該保持部を位置あわせし、連結ピンを該保持部と該突出体の穴内に挿通させて該側面下部連結具と該側面上部連結具を連結するように構成されているので請求項４記載の発明の効果に加え、該連結ピンによって前記側面下部連結具と側面上部連結具とを連結することが出来、該連結ピンを外すことにより、該側面下部連結具と側面上部連結具の取り外しも容易である。
【００１９】
請求項７記載の発明によれば、上記背面嵩上げ板は、中央下部が切欠され、作業者が作業中に上記背面板の上端に足を掛けられるように構成されているので請求項１，２，３，４，５又は６記載の発明の効果に加え、背面板の上端に足を掛けて足の力を加えてスノーダンプを前方に押すことが可能となり、雪を掬う作業が容易になる。
【発明を実施するための最良の形態】
【００２０】
以下、実施例を示した図面を参照しつつ本発明の実施の形態を説明する。
図１に於いて、１は公知のスノーダンプであり、該スノーダンプ１は、平面視略方形の底面板２の後辺に背面板３が延設して立設され、該底面板２の左右辺に、前端から後端に向かって高さが高くなるように上部が斜欠された左右側面板４，５が夫々延設して立設され、且つ、該背面板３の側端が該左右側面板４，５と連設されてスノーダンプ本体６が形成され、該スノーダンプ本体６に該スノーダンプ本体６を前方に押すための把手体７が固着されている。
【００２１】
そして、前記スノーダンプ本体６は合成樹脂板又は金属板等で一体に形成されており、該底面板２及び背面板３には補強のための複数のリブ２ａ，２ａ…、３ａ，３ａ…が形成されている。
【００２２】
又、前記把手体７は前記スノーダンプ本体６の左側面板４の外側面から前記背面板３の外側面及び右側面板５の外側面に延びて固着される取り付けパイプ８と、該取り付けパイプ８に連設され、且つ、該左右側面板４，５の後端から上方後方に延設される左右延設部９，１０と、該左右延設部９，１０の先端を相互に連結する把手部１１とから成り、一方、前記背面板３の上端及び前記左右側面板４，５の上端には前記取り付けパイプ８を包持する止着縁部１２，１３，１４が夫々形成されており、該取り付けパイプ８は、該背面板３の上端に形成された止着縁部１２と、該左右側面板４，５の上端に形成された止着縁部１３，１４とに下方から嵌着した後、ビス（図示せず）等で止着されている。
【００２３】
一方、同図に於いて２１は、本発明のスノーダンプ用嵩上げ器具であり、該スノーダンプ用嵩上げ器具２１は合成樹脂板、木板、或いは、金属板等で形成され、前記スノーダンプ１の背面板３上に立設して該背面板３の嵩上げをするための背面嵩上げ板２２と、該背面嵩上げ板２２に連結され、且つ、該スノーダンプ１の左右側面板４，５上に立設して該左右側面板４，５の嵩上げをするための左右側面嵩上げ板２３，２４とから成り、前記背面嵩上げ板２２は正面視矩形状に形成され、且つ、該左右側面板４，５は下端部が後端から前端に向けて下方に向かって斜設され、即ち、後端から前端に向かって次第に嵩高が高くなるように形成され、図２に示すように、該スノーダンプ用嵩上げ器具２１は前記スノーダンプ本体６に着脱自在に取り付けられるように構成され、該スノーダンプ用嵩上げ器具２１が該スノーダンプ本体６に取り付けられた時、該スノーダンプ用嵩上げ器具２１の上端の高さは略水平になるように構成されている。
【００２４】
そして、前記背面嵩上げ板２２と前記左右側面嵩上げ板２３，２４とは図３及び図４に示す蝶番２５，２５…によって図５に示す如く折り畳み自在に連結されていると共に、該背面嵩上げ板２２には作業時に操作者が背面板３の上端への足掛けが可能となるように、該背面嵩上げ板２２の下部中央が切欠されて足掛け用切欠き２２ａが形成されている。
【００２５】
尚、前記背面嵩上げ板２２と前記左右側面嵩上げ板２３，２４とを蝶番２５，２５で連結する構成に変えて、例えば、図６に示す如く、背面嵩上げ板２２Ｃと左右側面嵩上げ板２４Ｃ，２４Ｃとを硬質性樹脂によって一体に成型し、該背面嵩上げ板２２Ｃと左右側面嵩上げ板２４Ｃ，２４Ｃの隣接部Ｐを薄肉状に形成して折り畳み自在に構成することも可能であり、然る時は、前述の構成と同様の効果が期待できると共に、該背面嵩上げ板２２と左右側面嵩上げ板２４Ｃ，２４Ｃとを一体に成型するため製作が容易になり、且つ、部品点数を少なくすることができる利点がある。
【００２６】
更に、図７に示す如く、前記背面嵩上げ板２２の外側面左右下部に該背面嵩上げ板２２を前記背面板３と連結するための２個の背面上部連結具２６，２６が固着されると共に、前記左右側面嵩上げ板２３，２４の外側面下部の前端近傍に該左右側面嵩上げ板２３，２４を前記左右側面板４，５と連結するための側面上部連結具２７，２７が固着されている。
【００２７】
そして、図８に示す如く、前記背面上部連結具２６は、断面略Ω字状に形成され、前記背面嵩上げ板２２に固着されることにより断面略半円形状の嵌合孔２６ａが形成されるように構成されている。又、図９に示す如く、前記側面上部連結具２７は、前記左右側面嵩上げ板２３，２４に固着させるための固着板２７ａと、連結ピン２８を保持すべく断面Ｃ字状に形成された保持部２７ｂとから形成され、該固着板２７ａに該保持部２７ｂが固着されている。尚、該固着板２７ａと保持部２７ｂとは一体に成型されても良い。そして、然る時も同様な効果が期待できる。
【００２８】
一方、図２に示す如く、前記取り付けパイプ８及び該取り付けパイプ８を止着する止着縁部１２に前記背面嵩上げ板２２を取り付けるための２個の背面下部連結具２９，２９が前記背面上部連結具２６，２６に対応する位置に着脱自在に固着されると共に、前記取り付けパイプ８及び該取り付けパイプ８を止着する止着縁部１３，１４に前記左右側面嵩上げ板２３，２４を取り付けるための側面下部連結具３０，３０が前記側面上部連結具２７，２７に着脱自在に固着される。
【００２９】
そして、前記背面下部連結具２９は図８に示す如く、断面Ｃ字状に形成された下部体３１に同様に断面Ｃ字状に形成された凸部３２がＴ字状に接合されており、該下部体３１の切欠部３１ａを拡開して該下部体３１を前記取り付けパイプ８及び前記止着縁部１２に嵌合させ、該凸部３２を前記背面上部連結具２６の嵌合孔２６ａに嵌合させるように構成されている。尚、前記背面下部連結具２９は前記下部体３１と凸部３２とが一体に成型されても良い。そして、然る時も同様な効果が期待できる。
【００３０】
又、前記側面下部連結具３０は図９に示す如く、断面Ｃ字状に形成された下部体３３に断面円形状に形成された突出体３４がＴ字状に接合されており、該下部体３３の切欠部３３ａを拡開して該下部体３３を前記取り付けパイプ８及び前記止着縁部１３，１４に嵌合させるように構成されており、該突出体３４を前記連結ピン２８を介して前記背面上部連結具２６に連結するように構成されている。尚、前記側面下部連結具３０は前記下部体３３と突出体３４とが一体に成型されても良い。そして、然る時も同様な効果が期待できる。
【００３１】
而して、前記スノーダンプ用嵩上げ器具２１を前記スノーダンプ１に取り付ける場合について説明すると、先ず、前記背面下部連結具２９，２９を構成する下部体３１，３１の切欠部３１ａ，３１ａを拡開し、該下部体３１，３１を前記取り付けパイプ８及び前記止着縁部１２に嵌合させて該背面下部連結具２９，２９を取り付け、同様に、前記左右の側面下部連結具３０，３０を構成する下部体３３，３３の切欠部３３ａ，３３ａを拡開し該下部体３３，３３を前記取り付けパイプ８及び前記止着縁部１３，１４に夫々嵌合させて、該左右の側面下部連結具３０，３０を取り付ける。
【００３２】
次に、前記蝶番２５，２５…によって前記スノーダンプ用嵩上げ器具２１の前記背面嵩上げ板２２と前記左右側面嵩上げ板２３，２４とを略平面視コ字状に開いた後、該スノーダンプ用嵩上げ器具２１の前記背面上部連結具２６，２６の嵌合孔２６ａ，２６ａに前記背面下部連結具２９，２９の凸部３２，３２を嵌合させ、更に、前記左右の側面上部連結具２７，２７の保持部２７ｂ，２７ｂを前記側面下部連結具３０，３０の突出体３４，３４上に位置合わせして前記連結ピン２８，２８を該保持部２７ｂ，２７ｂと該突出体３４，３４の穴３４ａ，３４ａ内に挿入して該側面上部連結具２７，２７と側面下部連結具３０，３０とを夫々相互に連結すると、前記スノーダンプ用嵩上げ器具２１は前記スノーダンプ１に取り付けられる。
【００３３】
そして、該スノーダンプ用嵩上げ器具２１を取り付けたスノーダンプ１を使用する場合は、前記把手部１１を押し、該スノーダンプ１を前進させて雪を掬い、或いは、該把手部１１を押すだけでは前進が困難な場合は、該把手部１１を把持した状態で前記足掛け用切欠き２２ａ内に足を入れ、前記背面板３上端の前記止着縁部１２に足を掛け、足で該背面板３を前方に押すことによりスノーダンプ１を前進させて雪を掬うことができる。そして、掬った雪は該スノーダンプ１を所望の場所に移動させて排雪する。
【００３４】
又、前記スノーダンプ用嵩上げ器具２１を前記スノーダンプ１から取り外す場合は、前記連結ピン２８，２８を取り外して前記左右の側面上部連結具２７，２７と前記左右の側面下部連結具３０，３０を切り離し、更に、前記背面上部連結具２６，２６が形成する嵌合孔２６ａ，２６ａから前記背面下部連結具２９，２９の凸部３２，３２を抜き取り、該背面下部連結具２９，２９と該背面上部連結具２６，２６とを切り離せば、前記スノーダンプ用嵩上げ器具２１は取り外され、前記蝶番２５，２５…を介して前記左右側面嵩上げ板２３，２４を折り畳めば、該スノーダンプ用嵩上げ器具２１は収納状態になる。
【００３５】
斯くして、前記スノーダンプ用嵩上げ器具２１はスノーダンプ１に着脱自在に取り付けて多量の雪を掬い上げ排雪出来るため、多量の排雪作業を行う場合に於いて、作業効率が良く、作業時間を短縮できると共に、該スノーダンプ用嵩上げ器具２１の着脱及び収納も容易であり、少ない雪を排雪する場合は該スノーダンプ用嵩上げ器具２１を取り外して作業を行える。
【００３６】
又、前記背面嵩上げ板２２と前記左右側面嵩上げ板２３，２４とは蝶番２５，２５…によって折り畳み自在に連結されているのでスノーダンプ用嵩上げ器具２１の収納が容易になる。
【００３７】
更に、前記背面下部連結具２９は上方に突出する凸部３２を備え、前記背面上部連結具２６は該凸部３２を嵌合させる嵌合孔２６ａを備えているので、該凸部３２を該嵌合孔２６ａに嵌入させることにより、連結が容易になると共に、取り外しも容易となる。
【００３８】
更に又、前記側面下部連結具３０は上方に突出する突出体３４を備え、且つ、該突出体３４の上部には上方に開放する穴３４ａが形成されており、一方、前記側面上部連結具２７は連結ピン２８を保持するための保持部２７ｂを備えているので、該連結ピン２８によって前記側面下部連結具３０と側面上部連結具２７とを容易に連結することが出来、該連結ピン２８を外すことにより、該側面下部連結具３０と側面上部連結具２７とを容易に取り外すことができる。
【００３９】
そして、前記背面嵩上げ板２２は、中央下部が切欠されて足掛け用切欠き２２ａが形成されているので、前記背面板３の上端に足を掛けて足の力でスノーダンプ１を前方に押すことが可能となり、多量の雪を掬う作業、又は、硬くなった雪を掬う作業が容易になる。
【図面の簡単な説明】
【００４０】
【図１】（ａ）本発明の一実施の形態を示し、スノーダンプ用嵩上げ器具をスノーダンプに取り付けた状態を示す斜視図。（ｂ）本発明の一実施の形態を示し、スノーダンプ用嵩上げ器具をスノーダンプに取り付けた状態を背面から見た斜視図。
【図２】本発明の一実施の形態を示し、スノーダンプ用嵩上げ器具をスノーダンプに取り付ける前の状態を示す斜視図。
【図３】本発明の一実施の形態を示し、スノーダンプ用嵩上げ器具を前方から見た斜視図。
【図４】図３に示すスノーダンプ用嵩上げ器具の蝶番の取り付け状態を示す拡大断面図。
【図５】図３に示すスノーダンプ用嵩上げ器具の折り畳み状態を示す平面図。
【図６】本発明の他の実施の形態を示し、スノーダンプ用嵩上げ器具の折り畳み部の拡大断面図。
【図７】本発明の一実施の形態を示し、スノーダンプ用嵩上げ器具を背面下方から見た斜視図。
【図８】（ａ）図１の背面上部連結具及び背面下部連結具の連結状態を示す拡大断面図。（ｂ）図１の背面上部連結具及び背面下部連結具の拡大斜視図。
【図９】（ａ）図１の側面上部連結具及び側面下部連結具の連結状態を示す拡大断面図。（ｂ）図１の側面上部連結具及び側面下部連結具の拡大斜視図。
【符号の説明】
【００４１】
１  スノーダンプ
２  底面板
３  背面板
４  左側面板
５  右側面板
６  スノーダンプ本体
７  把手体
８  取り付けパイプ
９  左延設部
１０  右延設部
１１  把手部
１２，１３，１４  止着縁部
２１  スノーダンプ用嵩上げ器具
２２  背面嵩上げ板
２３  左側面嵩上げ板
２４  右側面嵩上げ板
２５  蝶番
２６  背面上部連結具
２６ａ  嵌合孔
２７  側面上部連結具
２７ｂ  保持部
２８  連結ピン
２９  背面下部連結具
３０  側面下部連結具
３２  凸部
３４  突出体
３４ａ  穴
Ｐ  隣接部
【図１】
2005290800.tif 000003
【図２】
2005290800.tif 000004
【図３】
2005290800.tif 000005
【図４】
2005290800.tif 000006
【図５】
2005290800.tif 000007
【図６】
2005290800.tif 000008
【図７】
2005290800.tif 000009
【図８】
2005290800.tif 000010
【図９】
2005290800.tif 000011